(57)【要約】  本出願は、信号伝送方法および機器を開示し、当該信号伝送方法は、受信ノードが、送信ノードによって送信された送信要求信号を受信することと、前記受信ノードが、前記送信要求信号にしたがって、送信許可信号を前記送信ノードに送信することであって、前記送信許可信号は、Ｎ個の候補ビームのビーム情報を含むこととを含む。
2021517759.tif 000002
【特許請求の範囲】
【請求項１】
信号伝送方法であって、
受信ノードが、送信ノードによって送信された送信要求信号を受信することと、
前記受信ノードが、前記送信要求信号にしたがって、送信許可信号を前記送信ノードに送信することであって、前記送信許可信号は、Ｎ個（Ｎは正の整数である）の候補ビームのビーム情報を含むこととを含む、前記信号伝送方法。
【請求項２】
前記送信要求信号は、少なくとも前記受信ノードとのチャネル伝送を要求し、前記送信許可信号は、少なくとも前記送信ノードと前記受信ノードとのチャネル伝送の許可を指示する、
請求項１に記載の信号伝送方法。
【請求項３】
前記信号伝送方法は、
前記受信ノードが、前記送信ノードが前記Ｎ個の候補ビームのビーム情報にしたがって送信したチャネルを受信することをさらに含む、
請求項１または２に記載の信号伝送方法。
【請求項４】
前記受信ノードが、前記送信要求信号にしたがって、送信許可信号を前記送信ノードに送信する前に、前記信号伝送方法は、
前記受信ノードが、参照信号に対する信号測定から得られた測定結果にしたがって、及び／または、ビームに対するキャリアセンシングから得られたセンシング結果にしたがって、前記Ｎ個の候補ビームのビーム情報を決定することをさらに含む、
請求項１ないし３のいずれか一項に記載の信号伝送方法。
【請求項５】
前記受信ノードが、参照信号に対する信号測定から得られた測定結果にしたがって、前記Ｎ個の候補ビームのビーム情報を決定することは、
前記受信ノードが、前記送信ノードによって送信された複数の参照信号に対して信号測定を実行し、前記複数の参照信号の測定結果にしたがって、最適な測定結果を有するＮ個の参照信号を前記複数の参照信号から選択することと、
前記受信ノードが、前記Ｎ個の参照信号の送信ビームを前記Ｎ個の候補ビームとして使用することとを含む、
請求項４に記載の信号伝送方法。
【請求項６】
前記受信ノードが、ビームに対するキャリアセンシングから得られたセンシング結果にしたがって、前記Ｎ個の候補ビームのビーム情報を決定することは、
前記受信ノードが、複数のビームでキャリアセンシングを実行することと、
前記受信ノードが、チャネルがアイドル状態であるとセンシングされたビームの中から、Ｎ個のビームを選択して前記少なくとも１つの候補ビームとして使用することとを含む、
請求項４に記載の信号伝送方法。
【請求項７】
前記受信ノードが、参照信号に対する信号測定から得られた測定結果、およびビームに対するキャリアセンシングから得られたセンシング結果にしたがって、前記Ｎ個の候補ビームのビーム情報を決定することは、
前記受信ノードが、前記送信ノードによって送信された複数の参照信号に対して信号測定を実行して、最適な測定結果を有するＭ個（Ｍは、Ｎより大きいか等しい正の整数である）の参照信号を取得することと、
前記受信ノードが、前記Ｍ個の参照信号の送信ビームで、キャリアセンシングを実行することと、
前記受信ノードが、チャネルがアイドル状態であるとセンシングされたビームの中から、Ｎ個のビームを選択して前記Ｎ個の候補ビームとして使用することとを含む、
請求項４に記載の信号伝送方法。
【請求項８】
前記受信ノードが、参照信号に対する信号測定から得られた測定結果、およびビームに対するキャリアセンシングから得られたセンシング結果にしたがって、前記Ｎ個の候補ビームのビーム情報を決定することは、
前記受信ノードが、複数のビームでキャリアセンシングを実行して、チャネルがアイドル状態であるとセンシングされたＭ個（Ｍは、Ｎより大きいか等しい正の整数である）のビームを取得することと、
前記受信ノードが、前記Ｍ個のビームで送信された参照信号に対して、信号測定を実行することと、
前記受信ノードが、最適な測定結果を有するＮ個の参照信号の送信ビームを前記Ｎ個の候補ビームとして使用することとを含む、
請求項４に記載の信号伝送方法。
【請求項９】
前記参照信号は、チャネル状態指示参照信号（ＣＳＩ−ＲＳ）、チャネルサウンディング参照信号（ＳＲＳ）および同期信号ブロック（ＳＳＢ）のうちの少なくとも１つを含む、
請求項４ないし８のいずれか一項に記載の信号伝送方法。
【請求項１０】
前記測定結果は、参照信号受信電力（ＲＳＲＰ）、参照信号受信品質（ＲＳＲＱ）および信号対雑音比（ＳＩＮＲ）のうちの少なくとも１つを含む、
請求項４ないし９のいずれか一項に記載の信号伝送方法。
【請求項１１】
前記Ｎ個の候補ビーム内の各候補ビームのビーム情報は、前記送信ノードによって使用される前記各候補ビームが送信する参照信号の信号インデックスである、
請求項１ないし１０のいずれか一項に記載の信号伝送方法。
【請求項１２】
前記送信要求信号は、第１ビームを使用して送信されるものであり、
前記Ｎ個のビームは、前記第１ビームを含み、または、前記Ｎ個のビームは、前記第１ビームを含まない、
請求項１ないし１１のいずれか一項に記載の信号伝送方法。
【請求項１３】
前記チャネルは、データチャネルまたは制御チャネルを含む、
請求項１ないし１２のいずれか一項に記載の信号伝送方法。
【請求項１４】
Ｎの値は、ネットワーク機器によって構成されたものであり、または前記受信ノードに事前に記憶されたものである、
請求項１ないし１３のいずれか一項に記載の信号伝送方法。
【請求項１５】
信号伝送方法であって、
送信ノードが、送信要求信号を受信ノードに送信することと、
前記送信ノードが、前記受信ノードが前記送信要求信号にしたがって送信した送信許可信号を受信することであって、前記送信許可信号は、Ｎ個（Ｎは正の整数である）の候補ビームのビーム情報を含むことと、
前記送信ノードが、前記Ｎ個の候補ビームのビーム情報にしたがって、チャネルを前記受信ノードに送信することとを含む、前記信号伝送方法。
【請求項１６】
前記送信要求信号は、少なくとも前記受信ノードとのチャネル伝送を要求し、前記送信許可信号は、少なくとも前記送信ノードと前記受信ノードとのチャネル伝送の許可を指示する、
請求項１５に記載の信号伝送方法。
【請求項１７】
前記送信ノードが、前記Ｎ個の候補ビームのビーム情報にしたがって、チャネルを前記受信ノードに送信することは、
前記送信ノードが、前記送信許可信号を受信した後、前記Ｎ個の候補ビームの１つを使用してチャネルを前記受信ノードに送信することを含む、
請求項１５または１６に記載の信号伝送方法。
【請求項１８】
前記送信ノードが、前記Ｎ個の候補ビームのビーム情報にしたがって、チャネルを前記受信ノードに送信することは、
前記送信ノードが、前記送信許可信号を受信した後、前記第１ビームを使用してチャネルを前記受信ノードに送信し、第１タイマを開始することと、
前記送信ノードが、前記第１タイマが満了した後、前記Ｎ個の候補ビームの１つを使用してチャネルを前記受信ノードに送信することとを含む、
請求項１５または１６に記載の信号伝送方法。
【請求項１９】
前記信号伝送方法は、
前記送信ノードが、前記第１ビームを使用してチャネルを前記受信ノードに送信した後、指示情報を前記受信ノードに送信することをさらに含み、前記指示情報は、後続の伝送チャネルで使用されるビームを指示する、
請求項１５ないし１８のいずれか一項に記載の信号伝送方法。
【請求項２０】
前記指示情報は、制御情報またはメディアアクセス制御（ＭＡＣ）層シグナリングで運ばれる、
請求項１９に記載の信号伝送方法。
【請求項２１】
前記Ｎ個の候補ビームのビーム情報は、前記送信ノードによって使用される前記Ｎ個の候補ビームがそれぞれ送信するＮ個の参照信号の信号インデックスである、
請求項１５ないし２０のいずれか一項に記載の信号伝送方法。
【請求項２２】
前記送信要求信号は、第１ビームを使用して送信されるものであり、
前記Ｎ個のビームは、前記第１ビームを含み、または、前記Ｎ個のビームは、前記第１ビームを含まない、
請求項１５ないし２１のいずれか一項に記載の信号伝送方法。
【請求項２３】
前記チャネルは、データチャネルまたは制御チャネルを含む、
請求項１５ないし２２のいずれか一項に記載の信号伝送方法。
【請求項２４】
受信ノード機器であって、
送信ノード機器によって送信された送信要求信号を受信するように構成される送受信ユニットを備え、
送受信ユニットは、さらに、前記送信要求信号にしたがって、送信許可信号を前記送信ノード機器に送信するように構成され、前記送信許可信号は、Ｎ個（Ｎは正の整数である）の候補ビームのビーム情報を含む、前記受信ノード機器。
【請求項２５】
前記送信要求信号は、少なくとも前記受信ノード機器とのチャネル伝送を要求し、前記送信許可信号は、少なくとも前記送信ノード機器と前記受信ノード機器とのチャネル伝送の許可を指示する、
請求項２４に記載の受信ノード機器。
【請求項２６】
前記送受信ユニットは、さらに、
前記送信ノード機器が前記Ｎ個の候補ビームのビーム情報にしたがって送信したチャネルを受信するように構成される、
請求項２４または２５に記載の受信ノード機器。
【請求項２７】
前記受信ノード機器は、決定ユニットをさらに備え、
前記決定ユニットは、参照信号に対する信号測定から得られた測定結果にしたがって、及び／または、ビームに対するキャリアセンシングから得られたセンシング結果にしたがって、前記Ｎ個の候補ビームのビーム情報を決定するように構成される、
請求項２４ないし２６のいずれか一項に記載の受信ノード機器。
【請求項２８】
前記決定ユニットは、具体的に、
前記送信ノード機器によって送信された複数の参照信号に対して信号測定を実行し、前記複数の参照信号の測定結果にしたがって、最適な測定結果を有するＮ個の参照信号を前記複数の参照信号から選択し、
前記Ｎ個の参照信号の送信ビームを前記Ｎ個の候補ビームとして使用するように構成される、
請求項２７に記載の受信ノード機器。
【請求項２９】
前記決定ユニットは、具体的に、
複数のビームでキャリアセンシングを実行し、
チャネルがアイドル状態であるとセンシングされたビームの中から、Ｎ個のビームを選択して前記少なくとも１つの候補ビームとして使用するように構成される、
請求項２７に記載の受信ノード機器。
【請求項３０】
前記決定ユニットは、具体的に、
前記送信ノード機器によって送信された複数の参照信号に対して信号測定を実行して、最適な測定結果を有するＭ個（Ｍは、Ｎより大きいか等しい正の整数である）の参照信号を取得し、
前記Ｍ個の参照信号の送信ビームで、キャリアセンシングを実行し、
チャネルがアイドル状態であるとセンシングされたビームの中から、Ｎ個のビームを選択して前記Ｎ個の候補ビームとして使用するように構成される、
請求項２７に記載の受信ノード機器。
【請求項３１】
前記決定ユニットは、具体的に、
前記受信ノード機器が、複数のビームでキャリアセンシングを実行して、チャネルがアイドル状態であるとセンシングされたＭ個（Ｍは、Ｎより大きいか等しい正の整数である）のビームを取得し、
前記Ｍ個のビームで送信された参照信号に対して、信号測定を実行し、
最適な測定結果を有するＮ個の参照信号の送信ビームを前記Ｎ個の候補ビームとして使用するように構成される、
請求項２７に記載の受信ノード機器。
【請求項３２】
前記参照信号は、チャネル状態指示参照信号（ＣＳＩ−ＲＳ）、チャネルサウンディング参照信号（ＳＲＳ）および同期信号ブロック（ＳＳＢ）のうちの少なくとも１つを含む、
請求項２７ないし３１のいずれか一項に記載の受信ノード機器。
【請求項３３】
前記測定結果は、参照信号受信電力（ＲＳＲＰ）、参照信号受信品質（ＲＳＲＱ）および信号対雑音比（ＳＩＮＲ）のうちの少なくとも１つを含む、
請求項２７ないし３２のいずれか一項に記載の受信ノード機器。
【請求項３４】
前記Ｎ個の候補ビーム内の各候補ビームのビーム情報は、前記送信ノード機器によって使用される前記各候補ビームが送信する参照信号の信号インデックスである、
請求項２４ないし３３のいずれか一項に記載の受信ノード機器。
【請求項３５】
前記送信要求信号は、第１ビームを使用して送信されるものであり、
前記Ｎ個のビームは、前記第１ビームを含み、または、前記Ｎ個のビームは、前記第１ビームを含まない、
請求項２４ないし３４のいずれか一項に記載の受信ノード機器。
【請求項３６】
前記チャネルは、データチャネルまたは制御チャネルを含む、
請求項２４ないし３５のいずれか一項に記載の受信ノード機器。
【請求項３７】
Ｎの値は、ネットワーク機器によって構成されたものであり、または前記受信ノードに事前に記憶されたものである、
請求項２４ないし３６のいずれか一項に記載の受信ノード機器。
【請求項３８】
送信ノード機器であって、
送信要求信号を受信ノード機器に送信するように構成される送受信ユニットを備え、
前記送受信ユニットは、さらに、前記受信ノード機器が前記送信要求信号にしたがって送信した送信許可信号を受信するように構成され、前記送信許可信号は、Ｎ個（Ｎは正の整数である）の候補ビームのビーム情報を含み、
前記送受信ユニットは、さらに、前記Ｎ個の候補ビームのビーム情報にしたがって、チャネルを前記受信ノード機器に送信するように構成される、前記送信ノード機器。
【請求項３９】
前記送信要求信号は、少なくとも前記受信ノード機器とのチャネル伝送を要求し、前記送信許可信号は、少なくとも前記送信ノード機器と前記受信ノード機器とのチャネル伝送の許可を指示する、
請求項３８に記載の送信ノード機器。
【請求項４０】
前記送受信ユニットは、具体的に、
前記送信許可信号を受信した後、前記Ｎ個の候補ビームの１つを使用してチャネルを前記受信ノード機器に送信するように構成される、
請求項３８または３９に記載の送信ノード機器。
【請求項４１】
前記送受信ユニットは、具体的に、
前記送信許可信号を受信した後、前記第１ビームを使用してチャネルを前記受信ノード機器に送信し、第１タイマを開始し、
前記第１タイマが満了した後、前記Ｎ個の候補ビームの１つを使用してチャネルを前記受信ノード機器に送信するように構成される、
請求項３８または３９に記載の送信ノード機器。
【請求項４２】
前記送受信ユニットは、さらに、
前記第１ビームを使用してチャネルを前記受信ノード機器に送信した後、前記受信ノード機器に指示情報を送信するように構成され、前記指示情報は、後続の伝送チャネルで使用されるビームを指示する、
請求項３８ないし４１のいずれか一項に記載の送信ノード機器。
【請求項４３】
前記指示情報は、制御情報またはメディアアクセス制御（ＭＡＣ）層シグナリングで運ばれる、
請求項４２に記載の送信ノード機器。
【請求項４４】
前記Ｎ個の候補ビームのビーム情報は、前記送信ノード機器によって使用される前記Ｎ個の候補ビームがそれぞれ送信するＮ個の参照信号の信号インデックスである、
請求項３８ないし４３のいずれか一項に記載の送信ノード機器。
【請求項４５】
前記送信要求信号は、第１ビームを使用して送信されるものであり、
前記Ｎ個のビームは、前記第１ビームを含み、または、前記Ｎ個のビームは、前記第１ビームを含まない、
請求項３８ないし４４のいずれか一項に記載の送信ノード機器。
【請求項４６】
前記チャネルは、データチャネルまたは制御チャネルを含む、
請求項３８ないし４５のいずれか一項に記載の送信ノード機器。
【発明の詳細な説明】
【技術分野】
【０００１】
本願実施例は、通信分野に関し、より具体的には、信号伝送方法および機器に関する。
【背景技術】
【０００２】
５Ｇシステムは、無認可周波数帯域におけるデータ伝送をサポートし、送信ノードは、受信ノードとの通信を要求するために、送信信号を受信ノードに送信することができ、受信ノードは、送信ノードが受信ノードとデータを伝送することができるように指示するために、信号を受信ノードに返信し、送信ノードは、受信ノードによって返信された信号を受信したときにのみ、受信ノードとデータを伝送することができる。したがって、無認可周波数帯域における、送信ノードと受信ノード間の信号伝送効率を向上させる方法は、解決しようとする課題である。
【発明の概要】
【発明が解決しようとする課題】
【０００３】
本願実施例は、無認可周波数帯域上での送信ノードと受信ノードとの間の信号伝送効率を向上させることができる、信号伝送方法および機器を提供する。
【課題を解決するための手段】
【０００４】
第１態様によれば、信号伝送方法を適用し、前記信号伝送方法は、受信ノードが、送信ノードによって送信された送信要求信号を受信することと、前記受信ノードが、前記送信要求信号にしたがって、送信許可信号を前記送信ノードに送信することであって、前記送信許可信号は、Ｎ個（Ｎは正の整数である）の候補ビームのビーム情報を含むこととを含む。
【０００５】
したがって、送信ノードが送信要求信号を受信ノードに送信した後、受信ノードが送信許可信号を送信ノードに送信し、送信許可信号にＮ個の候補ビームのビーム情報を搬送することにより、送信ノードがＮ個の候補ビームのビーム情報に基づいてチャネルを送信ノードに送信するようにするため、送信ノードと受信ノードとの間のチャネル伝送効率が向上する。
【０００６】
一可能な実施形態において、前記送信要求信号は、少なくとも前記受信ノードとのチャネル伝送を要求し、前記送信許可信号は、少なくとも前記送信ノードと前記受信ノードとのチャネル伝送の許可を指示する。
【０００７】
一可能な実施形態において、前記方法は、前記受信ノードが、前記送信ノードが前記Ｎ個の候補ビームのビーム情報にしたがって送信したチャネルを受信することをさらに含む。
【０００８】
一可能な実施形態において、前記受信ノードが、前記送信要求信号にしたがって、送信許可信号を前記送信ノードに送信する前に、前記方法は、前記受信ノードが、参照信号に対する信号測定から得られた測定結果にしたがって、及び／または、ビームに対するキャリアセンシングから得られたセンシング結果にしたがって、前記Ｎ個の候補ビームのビーム情報を決定することをさらに含む。
【０００９】
一可能な実施形態において、前記受信ノードが、参照信号に対する信号測定から得られた測定結果にしたがって、前記Ｎ個の候補ビームのビーム情報を決定することは、前記受信ノードが、前記送信ノードによって送信された複数の参照信号に対して信号測定を実行し、前記複数の参照信号の測定結果にしたがって、最適な測定結果を有するＮ個の参照信号を前記複数の参照信号から選択することと、前記受信ノードが、前記Ｎ個の参照信号の送信ビームを前記Ｎ個の候補ビームとして使用することとを含む。
【００１０】
一可能な実施形態において、前記受信ノードが、ビームに対するキャリアセンシングから得られたセンシング結果にしたがって、前記Ｎ個の候補ビームのビーム情報を決定することは、前記受信ノードが、複数のビームでキャリアセンシングを実行することと、前記受信ノードが、チャネルがアイドル状態であるとセンシングされたビームの中から、Ｎ個のビームを選択して前記少なくとも１つの候補ビームとして使用することとを含む。
【００１１】
一可能な実施形態において、前記受信ノードが、参照信号に対する信号測定から得られた測定結果、およびビームに対するキャリアセンシングから得られたセンシング結果にしたがって、前記Ｎ個の候補ビームのビーム情報を決定することは、前記受信ノードが、前記送信ノードによって送信された複数の参照信号に対して信号測定を実行して、最適な測定結果を有するＭ個（Ｍは、Ｎより大きいか等しい正の整数である）の参照信号を取得することと、前記受信ノードが、前記Ｍ個の参照信号の送信ビームで、キャリアセンシングを実行することと、前記受信ノードが、チャネルがアイドル状態であるとセンシングされたビームの中から、Ｎ個のビームを選択して前記Ｎ個の候補ビームとして使用することとを含む。
【００１２】
一可能な実施形態において、前記受信ノードが、参照信号に対する信号測定から得られた測定結果、およびビームに対するキャリアセンシングから得られたセンシング結果にしたがって、前記Ｎ個の候補ビームのビーム情報を決定することは、前記受信ノードが、複数のビームでキャリアセンシングを実行して、チャネルがアイドル状態であるとセンシングされたＭ個（Ｍは、Ｎより大きいか等しい正の整数である）のビームを取得することと、前記受信ノードが、前記Ｍ個のビームで送信された参照信号に対して、信号測定を実行することと、前記受信ノードが、最適な測定結果を有するＮ個の参照信号の送信ビームを前記Ｎ個の候補ビームとして使用することとを含む。
【００１３】
一可能な実施形態において、前記参照信号は、チャネル状態指示参照信号（ＣＳＩ−ＲＳ）、チャネルサウンディング参照信号（ＳＲＳ）および同期信号ブロック（ＳＳＢ）のうちの少なくとも１つを含む。
【００１４】
一可能な実施形態において、前記測定結果は、参照信号受信電力（ＲＳＲＰ）、参照信号受信品質（ＲＳＲＱ）および信号対雑音比（ＳＩＮＲ）のうちの少なくとも１つを含む。
【００１５】
一可能な実施形態において、前記Ｎ個の候補ビーム内の各候補ビームのビーム情報は、前記送信ノードによって使用される前記各候補ビームが送信する参照信号の信号インデックスである。
【００１６】
一可能な実施形態において、前記送信要求信号は、第１ビームを使用して送信されるものであり、前記Ｎ個のビームは、前記第１ビームを含み、または、前記Ｎ個のビームは、前記第１ビームを含まない。
【００１７】
一可能な実施形態において、前記チャネルは、データチャネルまたは制御チャネルを含む。
【００１８】
一可能な実施形態において、Ｎの値は、ネットワーク機器によって構成されたものであり、または前記受信ノードに事前に記憶されたものである。
【００１９】
第２態様によれば、信号伝送方法を提供し、前記信号伝送方法は、送信ノードが、送信要求信号を受信ノードに送信することと、前記送信ノードが、前記受信ノードが前記送信要求信号にしたがって送信した送信許可信号を受信することであって、前記送信許可信号は、Ｎ個（Ｎは正の整数である）の候補ビームのビーム情報を含むことと、前記送信ノードが、前記Ｎ個の候補ビームのビーム情報にしたがって、チャネルを前記受信ノードに送信することとを含む。
【００２０】
したがって、送信ノードが送信要求信号を受信ノードに送信した後、受信ノードが送信許可信号を送信ノードに送信し、送信許可信号にＮ個の候補ビームのビーム情報を搬送することにより、送信ノードがＮ個の候補ビームのビーム情報に基づいてチャネルを送信ノードに送信するようにするため、送信ノードと受信ノードとの間のチャネル伝送効率が向上する。
【００２１】
一可能な実施形態において、前記送信要求信号は、少なくとも前記受信ノードとのチャネル伝送を要求し、前記送信許可信号は、少なくとも前記送信ノードと前記受信ノードとのチャネル伝送の許可を指示する。
【００２２】
一可能な実施形態において、前記送信ノードが、前記Ｎ個の候補ビームのビーム情報にしたがって、チャネルを前記受信ノードに送信することは、前記送信ノードが、前記送信許可信号を受信した後、前記Ｎ個の候補ビームの１つを使用してチャネルを前記受信ノードに送信することを含む。
【００２３】
一可能な実施形態において、前記送信ノードが、前記Ｎ個の候補ビームのビーム情報にしたがって、チャネルを前記受信ノードに送信することは、前記送信ノードが、前記送信許可信号を受信した後、前記第１ビームを使用してチャネルを前記受信ノードに送信し、第１タイマを開始することと、前記送信ノードが、前記第１タイマが満了した後、前記Ｎ個の候補ビームの１つを使用してチャネルを前記受信ノードに送信することとを含む。
【００２４】
一可能な実施形態において、前記方法は、前記送信ノードが、前記第１ビームを使用してチャネルを前記受信ノードに送信した後、指示情報を前記受信ノードに送信することをさらに含み、前記指示情報は、後続の伝送チャネルで使用されるビームを指示する。
【００２５】
一可能な実施形態において、前記指示情報は、制御情報またはメディアアクセス制御（ＭＡＣ）層シグナリングで運ばれる。
【００２６】
一可能な実施形態において、前記Ｎ個の候補ビームのビーム情報は、前記送信ノードによって使用される前記Ｎ個の候補ビームがそれぞれ送信するＮ個の参照信号の信号インデックスである。
【００２７】
一可能な実施形態において、前記送信要求信号は、第１ビームを使用して送信されるものであり、前記Ｎ個のビームは、前記第１ビームを含み、または、前記Ｎ個のビームは、前記第１ビームを含まない。
【００２８】
一可能な実施形態において、前記チャネルは、データチャネルまたは制御チャネルを含む。
【００２９】
第３態様によれば、受信ノード機器を提供し、当該受信ノード機器は、上記の第１態様または第１態様の任意の可能な実施形態における受信ノードの動作を実行することができる。具体的に、当該端末機器は、上記の第１態様または第１態様の任意の可能な実施形態における受信ノードの動作を実行するように構成されるモジュールユニットを備えることができる。
【００３０】
第４態様によれば、送信ノード機器を提供し、当該送信ノード機器は、上記の第１態様または第１態様の任意の可能な実施形態における送信ノードの動作を実行することができる。具体的に、当該ネットワーク機器は、上記の第２態様または第２態様の任意の可能な実施形態における送信ノードの動作を実行するように構成されるモジュールユニットを備えることができる。
【００３１】
第５態様によれば、受信ノード機器を提供し、当該受信ノード機器は、プロセッサ、トランシーバおよびメモリを備える。ここで、当該プロセッサ、トランシーバおよびメモリのは、内部接続パスを介してお互いに通信する。当該メモリは、命令を記憶するように構成され、当該プロセッサは、当該メモリに記憶された命令を実行するように構成される。当該プロセッサが当該メモリに記憶された命令を実行する場合、当該実行により、当該受信ノード機器が、第１態様または第１態様の任意の可能な実施形態における方法を実行し、または当該実行により、当該受信ノード機器が第２態様により提供される受信ノード機器を具現する。
【００３２】
第６態様によれば、送信ノード機器を提供し、当該送信ノード機器は、プロセッサ、トランシーバおよびメモリを備える。ここで、当該プロセッサ、トランシーバおよびメモリのは、内部接続パスを介してお互いに通信する。当該メモリは、命令を記憶するように構成され、当該プロセッサは、当該メモリに記憶された命令を実行するように構成される。当該プロセッサが当該メモリに記憶された命令を実行する場合、当該実行により、当該送信ノード機器が第２態様または第２態様の任意の可能な実施形態における方法を実行し、または当該実行により、当該送信ノード機器が第４態様により提供される送信ノード機器を具現する。
【００３３】
第７態様によれば、システムチップを提供し、当該システムチップは、入力インターフェース、出力インターフェース、プロセッサおよびメモリを備え、当該プロセッサは、当該メモリに記憶された命令を実行するように構成され、当該命令が実行されるとき、当該プロセッサは、前述した第１態様または第１態様の任意の可能な実施形態における方法を具現することができる。
【００３４】
第８態様によれば、システムチップを提供し、当該システムチップは、入力インターフェース、出力インターフェース、プロセッサおよびメモリを備え、当該プロセッサは、当該メモリに記憶された命令を実行するように構成され、当該命令が実行されるとき、当該プロセッサは、前述した第２態様または第２態様の任意の可能な実施形態における方法を具現することができる。
【００３５】
第９態様によれば、命令を含むコンピュータプログラム製品を提供し、前記コンピュータプログラム製品がコンピュータで実行されるとき、当該コンピュータに上記の第１態様または第１態様の任意の可能な実施形態における方法を実行させる。
【００３６】
第１０態様によれば、命令を含むコンピュータプログラム製品を提供し、前記コンピュータプログラム製品がコンピュータで実行されるとき、当該コンピュータに上記の第２態様または第２態様の任意の可能な実施形態における方法を実行させる。
【図面の簡単な説明】
【００３７】
【図１】本願実施例に適用される無線通信システムの概略図である。
【図２】本願実施例の信号伝送方法の相互作用のフローチャートである。
【図３】本願実施例の受信ノード機器の例示的なブロック図である。
【図４】本願実施例の送信ノード機器の例示的なブロック図である。
【図５】本願実施例の通信機器の例示的な構造図である。
【図６】本願実施例のシステムチップの例示的な構造図である。
【発明を実施するための形態】
【００３８】
本出願の実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、シンボル分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域コード分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＴＭＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは将来の５Ｇシステムなど、様々な通信システムに適用することができる。
【００３９】
図１は、本願実施例を適用する無線通信システム１００を示す。当該無線通信システム１００は、ネットワーク機器１１０を備えることができる。ネットワーク機器１００は、端末機器通信と通信する機器であってもよい。ネットワーク機器１００は、特定の地理的エリアに通信カバレッジを提供することができ、さらに、当該カバレッジエリア内に位置する端末機器（例えば、ＵＥなど）と通信することができる。例示的に、当該ネットワーク機器１００は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）であってもよく、ＷＣＤＭＡシステムの基地局（ＮＢ：ＮｏｄｅＢ）であってもよく、さらに、ＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）無線コントローラであり得、または、前記ネットワーク機器は、リレーステーション、アクセスポイント、車載機器、ウェアラブル機器、未来の５Ｇネットワークのネットワーク側の機器、または未来進化の公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００４０】
当該無線通信システム１００は、ネットワーク機器１１０のカバレッジエリア内に位置する、端末機器１２１および端末機器１２２などの少なくとも１つの端末機器をさらに備える。端末機器１２１および端末機器１２２は、移動式または固定式であってもよい。例示的に、端末機器１２１および端末機器１２２は、アクセス端末、ユーザ機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび未来の５Ｇネットワークの端末機器または未来進化のＰＬＭＮの端末機器などであり得る。ここで、例示的に、端末機器１２１と端末機器１２２との間は、端末対端末（Ｄ２Ｄ：Ｄｅｖｉｃｅ  ｔｏ  Ｄｅｖｉｃｅ）通信を実行することもできる。
【００４１】
図１は、１つのネットワーク機器および２つの端末機器を例示的に示し、例示的に、当該無線通信システム１００は、複数のネットワーク機器を備えることができ、各ネットワーク機器のカバレッジエリアは他の数の端末機器を備えることもでき、本出願の実施例はこれらに対して限定しない。
【００４２】
例示的に、当該無線通信システム１００は、ネットワークコントローラ、モバイル管理エンティティなどの他のネットワークエンティティをさらに備えることができ、本願実施例はこれらに対して限定しない。
【００４３】
５Ｇシステムでは、データ伝送に使用される周波数帯域は、ＬＴＥに使用される周波数帯域より高いため、無線信号伝送のパス損失が大きくなり、無線信号のカバレッジが小さくなる。そのため、５Ｇシステムでは、ビームフォーミング（ｂｅａｍｆｏｒｍｉｎｇ）技術が提案されており、それにより無線信号のゲインを上げて、パス損失を補償する。具体的に、基地局が信号を端末機器に送信するために使用されるビームは方向性を有し、異なるビームは、実際には、異なる発射方向に対応し、各狭いビームは、セル内のすべての領域をカバーすることができず、セルの一部領域のみをカバーすることができる。例えば、図１に示されるように、図１は、即ち、ビームＢ１、ビームＢ２、ビームＢ３およびビームＢ４の４つの異なる方向のビームを示し、基地局は、４つの異なる方向のビームを介して信号を端末機器に送信することができる。ビームＢ１およびビームＢ２において、端末機器１２２をカバーすることができず、端末機器１２１のみをカバーすることができ、ビームＢ３およびビームＢ４は、端末機器１２１をカバーすることができず、端末機器１２２のみをかバスすることができる。基地局は、ビームＢ１およびビームＢ２を介して信号を端末機器１２１に送信し、ビームＢ３およびビームＢ４を介して信号を端末機器１２２に送信することができる。
【００４４】
以下では、本出願の実施例に係る無認可周波数帯域（ｕｎｌｉｃｅｎｓｅｄ  ｆｒｅｑｕｅｎｃｙ  ｂａｎｄｓ）でのリッスンビフォアトーク（ＬＢＴ：Ｌｉｓｔｅｎ  Ｂｅｆｏｒｅ  Ｔａｌｋ）メカニズム、および無認可周波数帯域で動作するＷｉ−Ｆｉ（Ｗｉｒｅｌｅｓｓ  Ｆｉｄｅｌｉｔｙｉ、登録商標）システムにおける送信要求（ＲＴＳ：Ｒｅｑｕｅｓｔ−Ｔｏ−Ｓｅｎｄ）／送信クリア（ＣＴＳ：Ｃｌｅａｒ−Ｔｏ−Ｓｅｎｄ）メカニズムを簡単に説明する。
【００４５】
５Ｇシステムでは、無認可周波数帯域（ｕｎｌｉｃｅｎｓｅｄ  ｆｒｅｑｕｅｎｃｙ  ｂａｎｄｓ）でのデータ伝送をサポートする。無認可周波数帯域を使用してチャネル伝送を実行することは、リッスンビフォアトーク（ＬＢＴ：Ｌｉｓｔｅｎ  Ｂｅｆｏｒｅ  Ｔａｌｋ）メカニズムに基づいている。即ち、送信ノードは、データを送信する前に、チャネルがアイドル状態であるか否かをセンシングする必要があり、チャネルがアイドル状態であると決定するのみ、データを送信することができる。
【００４６】
さらに、無認可周波数帯域で動作するＷｉ−Ｆｉ（Ｗｉｒｅｌｅｓｓ  Ｆｉｄｅｌｉｔｙ、登録商標）システムにおいて、非表示ノードの問題を解決するために、送信要求（ＲＴＳ：Ｒｅｑｕｅｓｔ−Ｔｏ−Ｓｅｎｄ）／送信クリア（ＣＴＳ：Ｃｌｅａｒ−Ｔｏ−Ｓｅｎｄ）メカニズムが提案される。非表示端末（Ｈｉｄｄｅｎ  Ｓｔａｔｉｏｎｓ）とは、基地局Ａが信号を基地局Ｂに送信し、基地局Ｃが基地局Ａをセンシングしなかった場合、基地局Ｃも信号を基地局Ｂに送信することができるため、基地局Ａと基地局Ｃは、信号を基地局Ｂに同時に送信することにより、信号の衝突を引き起こし、最終的に、基地局Ｂに伝送する信号を全部失う可能性がある。この場合、ＲＴＳ／ＣＴＳメカニズムを介してこの問題を解決することができる。ＲＴＳ／ＣＴＳを使用する場合、同時に伝送可能なバイト数の上限を設定し、伝送されるデータが前記上限値を超えると、ＲＴＳ／ＣＴＳハンドシェイクプロトコルを開始させる。まず、基地局ＡはＲＴＳ信号を基地局Ｂに送信することは、基地局Ａがいくつかのデータを基地局Ｂに送信しようとすることを示し、基地局ＢがＲＴＳ信号を受信した後にＣＴＳ信号を送信することは、準備を整えたことを示し、基地局Ａはデータを送信することができ、データを基地局Ｂに伝送しようとする残りの基地局は、基地局Ｂへのデータ送信を一時停止する。このようにして、両方は、ＲＴＳ／ＣＴＳ信号を交換した（即ち、ハンドシェイクを完了した）後に、実際のデータ転送を開始することにより、互いに不可視の複数の送信ノードが信号を同じ受信ノードに同時に送信する場合、実際には、受信ノードからのＣＴＳ信号を受信したノードのみが、データを受信ノードに伝送することができ、それにより、衝突を回避する。
【００４７】
送信ノードは、受信ノードから返信されたＣＴＳ信号を受信したときにのみ、受信ノードとデータを伝送することができる。したがって、送信ノードと受信ノードとの間の信号伝送効率を向上させる方法が、解決しようとする問題である。
【００４８】
本願実施例では、送信ノードが送信要求信号を受信ノードに送信した後、受信ノードが送信許可信号を送信ノードに送信し、送信許可信号にＮ個の候補ビームのビーム情報を搬送することにより、送信ノードがＮ個の候補ビームのビーム情報に基づいてチャネルを送信ノードに送信するようにするため、送信ノードと受信ノードとの間のチャネル伝送効率が向上する。
【００４９】
本願実施例では、信号を受信するために使用されるビームは、信号を受信するために使用される空間ドメイン受信フィルタ（Ｓｐａｔｉａｌ  ｄｏｍａｉｎ  ｒｅｃｅｐｔｉｏｎ  ｆｉｌｔｅｒ）として理解されることができ、信号を送信するために使用されるビームは、信号を送信するために使用される空間ドメイン伝送フィルタ（Ｓｐａｔｉａｌ  ｄｏｍａｉｎ  ｔｒａｎｓｍｉｓｓｉｏｎ  ｆｉｌｔｅｒ）として理解されることができることを理解されたい。同じ空間ドメイン受信フィルタを使用して送信された２つの信号において、空間受信パラメータに対する前記２つの信号がクアジコロケイティッド（ＱＣＬ：Ｑｕａｓｉ−Ｃｏ−Ｌｏｃａｔｅｄ）であると称し得る。
【００５０】
図２は、本願実施例の信号伝送方法の相互作用のフローチャートである。図２に示された送信ノードおよび受信ノードは、例えば、図１に示されたネットワーク機器１１０、端末機器１２１または端末機器１２２であってもよい。図２に示された方法２００は、例えば、無認可周波数帯域に適用することができる。図２に示されるように、当該信号伝送方法は、次の一部または全部のコンテンツを含み得る。
【００５１】
ステップ２１０において、送信ノードが、送信要求信号を受信ノードに送信する。
【００５２】
ステップ２２０において、受信ノードが、送信ノードによって送信された送信要求信号を受信する。
【００５３】
ステップ２３０において、当該受信ノードが、当該送信要求信号にしたがって、送信許可信号を当該送信ノードに送信する。
【００５４】
ここで、当該送信許可信号は、Ｎ個の候補ビームのビーム情報を含み、Ｎは１に等しく、またはＮは１より大きい正の整数である。
【００５５】
当該Ｎ個の候補ビームは、チャネル伝送のための、受信ノードによって送信ノードに推薦されるビームである。
【００５６】
例示的に、当該送信許可信号に含まれる当該Ｎ個の候補ビーム内の各候補ビームのビーム情報は、当該送信ノードによって使用される当該各候補ビームが送信した参照信号の信号インデックスである。
【００５７】
ここで、当該送信要求信号が第１ビームを使用して送信されたものであれば、当該Ｎ個のビームは、当該第１ビームを含んでもよく、または、当該Ｎ個のビームは当該第１ビームを含まなくてもよい。
【００５８】
さらに、Ｎの値は、ネットワーク機器によって構成されたものであってもよく、または当該受信ノードに事前に記憶されたものであってもよい。
【００５９】
例示的に、当該送信要求信号は、少なくとも当該受信ノードとのチャネル伝送を要求する。例えば、受信ノードのアドレス、データフレームの時間、ＡＣＫの送信時間などを含む。当該送信要求信号は、さらに他のコンテンツを搬送してもよく、または他の機能を有することもでき、ここでは限定しない。
【００６０】
例示的に、当該送信許可信号は、少なくとも当該送信ノードと当該受信ノードとのチャネル伝送の許可を指示し、または、さらに、他のノードと当該受信ノードとのデータ伝送の禁止を指示する。当該送信許可信号は、さらに、他のコンテンツを搬送してもよく、または他の機能を有することもでき、ここでは限定しない。
【００６１】
特に、ＷＩＦＩシステムでは、当該送信要求信号がＲＴＳ信号であり、当該送信許可信号は、ＣＴＳ信号である。
【００６２】
例示的に、ステップ２３０の前に、即ち、当該受信ノードが送信許可信号を当該送信ノードに送信する前に、当該方法は、当該受信ノードが、参照信号に対する信号測定から得られた測定結果にしたがって、及び／または、ビームに対するキャリアセンシングから得られたセンシング結果にしたがって、当該Ｎ個の候補ビームのビーム情報を決定することをさらに含む。
【００６３】
例えば、当該受信ノードが、当該送信ノードによって送信された複数の参照信号に対して信号測定を実行し、当該複数の参照信号の測定結果にしたがって、最適な測定結果を有するＮ個の参照信号を当該複数の参照信号から選択し、当該受信ノードが、当該Ｎ個の参照信号の送信ビームを当該Ｎ個の候補ビームとして使用する。
【００６４】
さらに、例えば、当該受信ノードが、複数のビームでキャリアセンシング（または、ビームセンシング、チャネルセンシング、センシングなどと称する）を実行し、当該受信ノードチャネルがアイドル状態であるとセンシングされたビームの中から、Ｎ個のビームを選択して当該Ｎ個の候補ビームとして使用する。
【００６５】
さらに、例えば、当該受信ノードが、当該送信ノードによって送信された複数の参照信号に対して信号測定を実行して、最適な測定結果を有するＭ個（Ｍは、Ｎより大きいか等しい正の整数である）の参照信号を取得し、当該受信ノードが、当該Ｍ個の参照信号の送信ビームで、キャリアセンシングを実行し、当該受信ノードが、チャネルがアイドル状態であるとセンシングされたビームの中から、Ｎ個のビームを選択して当該Ｎ個の候補ビームとして使用する。
【００６６】
さらに、例えば、当該受信ノードが、複数のビームでキャリアセンシングを実行して、チャネルがアイドル状態であるとセンシングされたＭ個（Ｍは、Ｎより大きいか等しい正の整数である）のビームを取得し、当該受信ノードが、当該Ｍ個のビームで送信された参照信号に対して、信号測定を実行し、当該受信ノードが、最適な測定結果を有するＮ個の参照信号の送信ビームを当該Ｎ個の候補ビームとして使用する。
【００６７】
ここで、端末機器が特定のビーム上で、チャネルがアイドル状態であるとセンシングされた場合、例えば、当該ビームで送信された参照信号の電力がプリセットのしきい値より小さい可能性があり、このとき、当該ビーム上のチャネルがアイドル状態であると見なされる。
【００６８】
例示的に、当該参照信号がチャネル状態指示参照信号（ＣＳＩ−ＲＳ：Ｃｈａｎｎｅｌ  Ｓｔａｔｅ  Ｉｎｄｉｃａｔｉｏｎ  Ｒｅｆｅｒｅｎｃｅ  Ｓｉｇｎａｌ）、チャネルサウンディング参照信号（ＳＲＳ：Ｓｏｕｎｄｉｎｇ  Ｒｅｆｅｒｅｎｃｅ  Ｓｉｇｎａｌ）および同期信号ブロック（ＳＳＢ：Ｓｙｎｃｈｒｏｎｉｚｉｎｇ  Ｓｉｇｎａｌ  Ｂｌｏｃｋ）のうちの少なくとも１つを含む。
【００６９】
例示的に、当該測定結果は、参照信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）、参照信号受信品質（ＲＳＲＱ：Ｒｅｆｅｒｅｎｃｅ  Ｓｉｇｎａｌ  Ｒｅｃｅｉｖｉｎｇ  Ｑｕａｌｉｔｙ）および信号対雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）のうちの少なくとも１つを含む。
【００７０】
例えば、当該受信ノードは、参照信号の信号測定結果にしたがって、ＲＳＲＰ及び／またはＲＳＲＱのより高い方の１つまたは複数の参照信号（例えば、ＲＳＲＰ及び／またはＲＳＲＱの測定値を降順で配列した最初のいくつかの測定値に対応する参照信号）に対応するビームを候補のＮ個のビームとして使用し、またはビームがセンシングしたセンシング結果にしたがって、チャネルがアイドル状態である１つまたは複数のビームを選択してＮ個の候補ビームとして使用し、または、チャネルがアイドル状態であるビームから、ＲＳＲＰ及び／またはＲＳＲＱのより高い方の１つまたは複数の参照信号に対応するビームを選択して候補のＮ個のビームとして使用し、または、ＲＳＲＰ及び／またはＲＳＲＱのより高い参照信号に対応するビームからアイドル状態である１つまたは複数の参照信号を選択して候補のＮ個のビームとして使用することができる。
【００７１】
ステップ２４０において、当該送信ノードが、当該受信ノードが当該送信要求信号にしたがって送信した送信許可信号を受信する。
【００７２】
ここで、当該送信許可信号は、Ｎ個の候補ビームのビーム情報を含む。
【００７３】
ステップ２５０において、当該送信ノードが、当該Ｎ個の候補ビームのビーム情報にしたがって、チャネルを当該受信ノードに送信する。
【００７４】
例示的に、当該送信ノードが、当該送信許可信号を受信した後、当該送信許可信号で搬送される当該Ｎ個の候補ビームの１つを使用して、チャネルを当該受信ノードに送信する。
【００７５】
または、例示的に、当該送信ノードが、当該送信許可信号を受信した後、当該第１ビームを使用してチャネルを当該受信ノードに送信し、第１タイマを開始し、当該送信ノードが、当該第１タイマが満了した後、当該Ｎ個の候補ビームの１つを使用してチャネルを当該受信ノードに送信する。
【００７６】
このとき、例示的に、当該送信ノードが、当該第１ビームを使用してチャネルを当該受信ノードに送信した後、さらに、指示情報を当該受信ノードに送信することができ、当該指示情報は、後続の伝送チャネルで使用されるビームを指示する。
【００７７】
例えば、受信ノードが送信ノードに送信した送信許可信号には第２ビームのビーム情報が搬送され、送信ノードは、受信ノードによって送信された送信許可信号を受信した後、送信ノードは、先に当該送信要求信号の送信ビーム、即ち、第１ビームを使用して、チャネルを受信ノードに送信し、そして、当該送信ノードは、当該送信許可信号を受信したとき、第１タイマを開始し、当該第１タイマが満了（ｅｘｐｉｒｅ）したとき、当該送信ノードは、再びに当該第２ビームを使用してチャネルを受信ノードに送信する。
【００７８】
その後、指示情報を当該受信ノードに送信することにより、チャネルを送信するための更新後のビームを指示する。
【００７９】
それに対応して、当該受信ノードは、当該指示情報を受信して、送信ノードの更新されたビームの情報を取得する。
【００８０】
当該指示情報は、例えば、制御情報またはメディアアクセス制御（ＭＡＣ：Ｍｅｄｉａ  Ａｃｃｅｓｓ  Ｃｏｎｔｒｏｌ）層シグナリングで運ばれる。
【００８１】
例示的に、当該チャネルは、データチャネルまたは制御チャネルを含む。
【００８２】
例示的に、当該方法は、ステップ２６０をさらに含む。
【００８３】
ステップ２６０において、当該受信ノードが、当該送信ノードが当該Ｎ個の候補ビームのビーム情報にしたがって送信したチャネルを受信する。
【００８４】
したがって、本願実施例では、送信ノードが送信要求信号を受信ノードに送信した後、受信ノードが送信許可信号を送信ノードに送信し、送信許可信号にＮ個の候補ビームのビーム情報を搬送することにより、送信ノードがＮ個の候補ビームのビーム情報に基づいてチャネルを送信ノードに送信するようにするため、送信ノードと受信ノードとの間のチャネル伝送効率が向上する。
【００８５】
本出願の様々な実施例において、上述の各プロセスの番号の大きさは実行する前後順番を意味せず、各プロセスの実行順番は、その機能と内部論理によって決定されるべきであり、本願実施例の実施プロセスに対してあらゆる限定を構成してはならないことを理解されたい。
【００８６】
以上、本願実施例に係る信号伝送方法について詳細に説明したが、以下、本願実施例に係る装置について、図３ないし図６を参照して説明し、方法の実施例に記載の技術的特徴は、以下の装置の実施例に適用可能である。
【００８７】
図３は、本願実施例の受信ノード機器３００の例示的なブロック図である。図３に示されるように、当該受信ノード機器３００は、送受信ユニット３１０を備え、前記送受信ユニット３１０は、
送信ノード機器によって送信された送信要求信号を受信し、前記送信要求信号にしたがって、送信許可信号を前記送信ノード機器に送信するように構成され、ここで、前記送信許可信号は、Ｎ個（Ｎは正の整数である）の候補ビームのビーム情報を含む。
【００８８】
したがって、送信ノードが送信要求信号を受信ノードに送信した後、受信ノードが送信許可信号を送信ノードに送信し、送信許可信号にＮ個の候補ビームのビーム情報を搬送することにより、送信ノードがＮ個の候補ビームのビーム情報に基づいてチャネルを送信ノードに送信するようにするため、送信ノードと受信ノードとの間のチャネル伝送効率が向上する。
【００８９】
例示的に、前記送信要求信号は、少なくとも前記受信ノード機器とのチャネル伝送を要求し、前記送信許可信号は、少なくとも前記送信ノード機器と前記受信ノード機器とのチャネル伝送の許可を指示する。
【００９０】
例示的に、前記送受信ユニット３１０は、さらに、前記送信ノード機器が前記Ｎ個の候補ビームのビーム情報にしたがって送信したチャネルを受信するように構成される。
【００９１】
例示的に、前記受信ノード機器は、決定ユニット３２０をさらに備え、前記決定ユニット３２０は、参照信号に対する信号測定から得られた測定結果にしたがって、及び／または、ビームに対するキャリアセンシングから得られたセンシング結果にしたがって、前記Ｎ個の候補ビームのビーム情報を決定するように構成される。
【００９２】
例示的に、前記決定ユニット３２０は、具体的に、前記送信ノード機器によって送信された複数の参照信号に対して信号測定を実行し、前記複数の参照信号の測定結果にしたがって、最適な測定結果を有するＮ個の参照信号を前記複数の参照信号から選択し、前記Ｎ個の参照信号の送信ビームを前記Ｎ個の候補ビームとして使用するように構成される。
【００９３】
例示的に、前記決定ユニット３２０は、具体的に、複数のビームでキャリアセンシングを実行し、チャネルがアイドル状態であるとセンシングされたビームの中から、Ｎ個のビームを選択して前記少なくとも１つの候補ビームとして使用するように構成される。
【００９４】
例示的に、前記決定ユニット３２０は、具体的に、前記送信ノード機器によって送信された複数の参照信号に対して信号測定を実行して、最適な測定結果を有するＭ個（Ｍは、Ｎより大きいか等しい正の整数である）の参照信号を取得し、前記Ｍ個の参照信号の送信ビームで、キャリアセンシングを実行し、チャネルがアイドル状態であるとセンシングされたビームの中から、Ｎ個のビームを選択して前記Ｎ個の候補ビームとして使用するように構成される。
【００９５】
例示的に、前記決定ユニット３２０は、具体的に、前記受信ノード機器が、複数のビームでキャリアセンシングを実行して、チャネルがアイドル状態であるとセンシングされたＭ個（Ｍは、Ｎより大きいか等しい正の整数である）のビームを取得し、前記Ｍ個のビームで送信された参照信号に対して、信号測定を実行し、最適な測定結果を有するＮ個の参照信号の送信ビームを前記Ｎ個の候補ビームとして使用するように構成される。
【００９６】
例示的に、前記参照信号は、チャネル状態指示参照信号（ＣＳＩ−ＲＳ）、チャネルサウンディング参照信号（ＳＲＳ）および同期信号ブロック（ＳＳＢ）のうちの少なくとも１つを含む。
【００９７】
例示的に、前記測定結果は、参照信号受信電力（ＲＳＲＰ）、参照信号受信品質（ＲＳＲＱ）および信号対雑音比（ＳＩＮＲ）のうちの少なくとも１つを含む。
【００９８】
例示的に、前記Ｎ個の候補ビーム内の各候補ビームのビーム情報は、前記送信ノード機器によって使用される前記各候補ビームが送信する参照信号の信号インデックスである。
【００９９】
例示的に、前記送信要求信号は、第１ビームを使用して送信されるものであり、前記Ｎ個のビームは、前記第１ビームを含み、または、前記Ｎ個のビームは、前記第１ビームを含まない。
【０１００】
例示的に、前記チャネルは、データチャネルまたは制御チャネルを含む。
【０１０１】
例示的に、Ｎの値は、ネットワーク機器によって構成されたものであり、または前記受信ノードに事前に記憶されたものである。
【０１０２】
当該受信ノード機器３００は、上記の方法２００における受信ノードによって実行される対応する動作を実行することができ、簡潔にするために、ここでは繰り返して説明しないことを理解されたい。
【０１０３】
図４は、本願実施例の送信ノード機器４００の例示的なブロック図である。図４に示されるように、当該送信ノード機器４００は、送受信ユニット４１０を含み、前記送受信ユニット４１０は、
送信要求信号を受信ノード機器に送信し、前記受信ノード機器が前記送信要求信号にしたがって送信した送信許可信号を受信するように構成され、ここで、前記送信許可信号は、Ｎ個（Ｎは正の整数である）の候補ビームのビーム情報を含み、前記送受信ユニット４１０は、さらに、前記Ｎ個の候補ビームのビーム情報にしたがって、チャネルを前記受信ノード機器に送信するように構成される。
【０１０４】
したがって、送信ノードが送信要求信号を受信ノードに送信した後、受信ノードが送信許可信号を送信ノードに送信し、送信許可信号にＮ個の候補ビームのビーム情報を搬送することにより、送信ノードがＮ個の候補ビームのビーム情報に基づいてチャネルを送信ノードに送信するようにするため、送信ノードと受信ノードとの間のチャネル伝送効率が向上する。
【０１０５】
例示的に、前記送信要求信号は、少なくとも前記受信ノード機器とのチャネル伝送を要求し、前記送信許可信号は、少なくとも前記送信ノード機器と前記受信ノード機器とのチャネル伝送の許可を指示する。
【０１０６】
例示的に、前記送受信ユニット４１０は、具体的に、前記送信許可信号を受信した後、前記Ｎ個の候補ビームの１つを使用してチャネルを前記受信ノード機器に送信するように構成される。
【０１０７】
例示的に、前記送受信ユニット４１０は、具体的に、前記送信許可信号を受信した後、前記第１ビームを使用してチャネルを前記受信ノード機器に送信し、第１タイマを開始し、前記第１タイマが満了した後、前記Ｎ個の候補ビームの１つを使用してチャネルを前記受信ノード機器に送信するように構成される。
【０１０８】
例示的に、前記送受信ユニット４１０は、さらに、前記第１ビームを使用してチャネルを前記受信ノード機器に送信した後、前記受信ノード機器に指示情報を送信するように構成され、前記指示情報は、後続の伝送チャネルで使用されるビームを指示する。
【０１０９】
例示的に、前記指示情報は、制御情報またはメディアアクセス制御（ＭＡＣ）層シグナリングで運ばれる。
【０１１０】
例示的に、前記Ｎ個の候補ビームのビーム情報は、前記送信ノード機器によって使用される前記Ｎ個の候補ビームがそれぞれ送信するＮ個の参照信号の信号インデックスである。
【０１１１】
例示的に、前記送信要求信号は、第１ビームを使用して送信されるものであり、前記Ｎ個のビームは、前記第１ビームを含み、または、前記Ｎ個のビームは、前記第１ビームを含まない。
【０１１２】
例示的に、前記チャネルは、データチャネルまたは制御チャネルを含む。
【０１１３】
当該送信ノード機器４００は、上記の方法２００における送信ノードによって実行される対応する動作を実行することができ、簡潔にするために、ここでは繰り返して説明しないことを理解されたい。
【０１１４】
図５は、本願実施例の通信機器５００の例示的な構造図である。図５に示されるように、当該通信機器は、プロセッサ５１０、トランシーバ５２０およびメモリ５３０を備え、ここで、当該プロセッサ５１０、トランシーバ５２０およびメモリ５３０は、内部接続パスを介してお互いに通信する。当該メモリ５３０は、命令を記憶するように構成され、当該プロセッサ５１０は、当該トランシーバ５２０による信号の送受信を制御するために、当該メモリ５３０に記憶された命令を実行するように構成される。
【０１１５】
例示的に、当該プロセッサ５１０は、メモリ５３０に記憶されたプログラムコードを呼び出して、方法２００における送信ノードによって実行される対応する動作を実行でき、簡潔にするために、ここでは繰り返して説明しないことを理解されたい。
【０１１６】
例示的に、当該プロセッサ５１０は、メモリ５３０に記憶されたプログラムコードを呼び出して、方法２００における受信ノードによって実行される対応する動作を実行でき、簡潔にするために、ここでは繰り返して説明しないことを理解されたい。
【０１１７】
本出願の実施例におけるプロセッサは、信号の処理能力を備えた集積回路チップであり得ることを理解されたい。実現プロセスにおいて、上記した方法の実施例の各ステップは、プロセッサにおけるハードウェアの集積論理回路またはソフトウェアの形の命令によって完了されることができる。上述のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアコンポーネントなどであってもよく、それらは本開示の実施例で開示された各方法、ステップおよび論理ブロック図を実現または実行することができる。汎用プロセッサは、マイクロプロセッサであってもよく、または当該プロセッサは任意の従来のプロセッサなどであってもよい。本出願の実施例を組み合せて開示された方法のステップは、直接に、ハードウェア復号化プロセッサによって実行されて完了すると具現されることができ、または復号化プロセッサにおけるハードウェアおよびソフトウェアモジュールの組み合わせによって実行して完了する。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。当該記憶媒体はメモリに配置され、プロセッサはメモリにおける情報を読み取り、そのハードウェアと組み合わせて前記方法のステップを完了する。
【０１１８】
本出願の実施例におけるメモリは、揮発性メモリまたは不揮発性メモリであってもよく、または揮発性と不揮発性メモリの両方を含んでもよいことが理解できるだろう。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが限定的ではない説明を通じて、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）など、多くの形のＲＡＭが利用可能である。本出願で説明されるシステムおよび方法のメモリは、これらおよび任意の他の適切なタイプのメモリを備えるが、これに限定されないことを意図することに留意されたい。
【０１１９】
図６は、本願実施例のシステムチップの一例示的な構造図である。図６のシステムチップ６００は、入力インターフェース６０１、出力インターフェース６０２、少なくとも１つのプロセッサ６０３、メモリ６０４を備え、前記入力インターフェース６０１、出力インターフェース６０２、前記プロセッサ６０３およびメモリ６０４との間は内部接続パスを介してお互いに接続される。前記プロセッサ６０３は、前記メモリ６０４内のコードを実行するように構成される。
【０１２０】
例示的に、前記コードが実行されると、前記プロセッサ６０３は、方法２００における送信ノードによって実行される対応する動作を具現することができる。簡潔性のために、ここでは繰り返して説明しない。
【０１２１】
例示的に、前記コードが実行されると、前記プロセッサ６０３は、方法２００における受信ノードによって実行される対応する動作を具現することができる。簡潔性のために、ここでは繰り返して説明しない。
【０１２２】
本出願の実施例において、「Ａに相応（対応）するＢ」とは、ＢがＡに関連付けられており、Ａに従ってＢを決定できることを示すことを理解されたい。しかしながら、Ａに従ってＢを決定することは、Ａのみに従ってＢを決定することを意味せず、Ａおよび／または他の情報に従ってＢを決定することもできることを理解されたい。
【０１２３】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、各特定の応用に対して異なる方法を使用して、説明された機能を実現することができるが、このような実現は本開示の実施例の範囲を超えると見なされるべきではない。
【０１２４】
当業者は、説明の便宜上および簡潔にするために、上記に説明されたシステム、装置およびユニットの具体的な作業プロセスは、前述の方法の実施例における対応するプロセスを参照することができることを明確に理解することができ、ここでは繰り返して説明しない。
【０１２５】
本出願で提供されるいくつかの実施例では、開示されたシステム、装置および方法は、他の方法を通じて実現され得ることを理解されたい。例えば、上記で説明された装置の実施例は例示的なものに過ぎず、例えば、当該ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した関節結合または通信接続であり得る。
【０１２６】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズに従って、その中のユニットの一部または全部を選択して本実施例の技術案の目的を実現することができる。
【０１２７】
また、本出願の各実施例における各機能ユニットを１つのモニタリングユニットに統合してもよく、各ユニットを別々に１つのユニットとして使用してもよいし、２つ以上のユニットを１つのユニットに統合してもよい。
【０１２８】
前記機能は、ソフトウェア機能ユニットの形で実現され、スタンドアロン製品として販売または使用される場合、コンピュータ読み取り可能な記憶媒体に記憶されることができる。このような理解に基づいて、本出願の技術的解決策は、本質的にまたは先行技術に対して寄与する部分または当該技術的解決策の一部は、ソフトウェア製品の形で具現されることができ、当該コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０１２９】
上記した内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2021517759.tif 000003
【図２】
2021517759.tif 000004
【図３】
2021517759.tif 000005
【図４】
2021517759.tif 000006
【図５】
2021517759.tif 000007
【図６】
2021517759.tif 000008
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
信号伝送方法であって、
受信ノードが、送信ノードによって送信された送信要求信号を受信することと、
前記受信ノードが、前記送信要求信号にしたがって、送信許可信号を前記送信ノードに送信することであって、前記送信許可信号は、Ｎ個（Ｎは正の整数である）の候補ビームのビーム情報を含むこととを含む、前記信号伝送方法。
【請求項２】
前記送信要求信号は、少なくとも前記受信ノードとのチャネル伝送を要求し、前記送信許可信号は、少なくとも前記送信ノードと前記受信ノードとのチャネル伝送の許可を指示する、
請求項１に記載の信号伝送方法。
【請求項３】
前記信号伝送方法は、
前記受信ノードが、前記送信ノードが前記Ｎ個の候補ビームのビーム情報にしたがって送信したチャネルを受信することをさらに含む、
請求項１に記載の信号伝送方法。
【請求項４】
前記受信ノードが、前記送信要求信号にしたがって、送信許可信号を前記送信ノードに送信する前に、前記信号伝送方法は、
前記受信ノードが、参照信号に対する信号測定から得られた測定結果にしたがって、及び／または、ビームに対するキャリアセンシングから得られたセンシング結果にしたがって、前記Ｎ個の候補ビームのビーム情報を決定することをさらに含む、
請求項１ないし３のいずれか一項に記載の信号伝送方法。
【請求項５】
前記受信ノードが、参照信号に対する信号測定から得られた測定結果にしたがって、前記Ｎ個の候補ビームのビーム情報を決定することは、
前記受信ノードが、前記送信ノードによって送信された複数の参照信号に対して信号測定を実行し、前記複数の参照信号の測定結果にしたがって、最適な測定結果を有するＮ個の参照信号を前記複数の参照信号から選択することと、
前記受信ノードが、前記Ｎ個の参照信号の送信ビームを前記Ｎ個の候補ビームとして使用することとを含み、
または、
前記受信ノードが、ビームに対するキャリアセンシングから得られたセンシング結果にしたがって、前記Ｎ個の候補ビームのビーム情報を決定することは、
前記受信ノードが、複数のビームでキャリアセンシングを実行することと、
前記受信ノードが、チャネルがアイドル状態であるとセンシングされたビームの中から、Ｎ個のビームを選択して前記少なくとも１つの候補ビームとして使用することとを含む、
請求項４に記載の信号伝送方法。
【請求項６】
前記受信ノードが、参照信号に対する信号測定から得られた測定結果、およびビームに対するキャリアセンシングから得られたセンシング結果にしたがって、前記Ｎ個の候補ビームのビーム情報を決定することは、
前記受信ノードが、前記送信ノードによって送信された複数の参照信号に対して信号測定を実行して、最適な測定結果を有するＭ個（Ｍは、Ｎより大きいか等しい正の整数である）の参照信号を取得することと、
前記受信ノードが、前記Ｍ個の参照信号の送信ビームで、キャリアセンシングを実行することと、
前記受信ノードが、チャネルがアイドル状態であるとセンシングされたビームの中から、Ｎ個のビームを選択して前記Ｎ個の候補ビームとして使用することとを含み、
または、
前記受信ノードが、参照信号に対する信号測定から得られた測定結果、およびビームに対するキャリアセンシングから得られたセンシング結果にしたがって、前記Ｎ個の候補ビームのビーム情報を決定することは、
前記受信ノードが、複数のビームでキャリアセンシングを実行して、チャネルがアイドル状態であるとセンシングされたＭ個（Ｍは、Ｎより大きいか等しい正の整数である）のビームを取得することと、
前記受信ノードが、前記Ｍ個のビームで送信された参照信号に対して、信号測定を実行することと、
前記受信ノードが、最適な測定結果を有するＮ個の参照信号の送信ビームを前記Ｎ個の候補ビームとして使用することとを含む、
請求項４に記載の信号伝送方法。
【請求項７】
前記参照信号は、チャネル状態指示参照信号（ＣＳＩ−ＲＳ）、チャネルサウンディング参照信号（ＳＲＳ）および同期信号ブロック（ＳＳＢ）のうちの少なくとも１つを含む、
請求項４に記載の信号伝送方法。
【請求項８】
前記測定結果は、参照信号受信電力（ＲＳＲＰ）、参照信号受信品質（ＲＳＲＱ）および信号対雑音比（ＳＩＮＲ）のうちの少なくとも１つを含む、
請求項４ないし７のいずれか一項に記載の信号伝送方法。
【請求項９】
前記Ｎ個の候補ビーム内の各候補ビームのビーム情報は、前記送信ノードによって使用される前記各候補ビームが送信する参照信号の信号インデックスである、
請求項１ないし８のいずれか一項に記載の信号伝送方法。
【請求項１０】
前記送信要求信号は、第１ビームを使用して送信されるものであり、
前記Ｎ個のビームは、前記第１ビームを含み、または、前記Ｎ個のビームは、前記第１ビームを含まない、
請求項１ないし９のいずれか一項に記載の信号伝送方法。
【請求項１１】
前記チャネルは、データチャネルまたは制御チャネルを含む、
請求項１ないし１０のいずれか一項に記載の信号伝送方法。
【請求項１２】
Ｎの値は、ネットワーク機器によって構成されたものであり、または前記受信ノードに事前に記憶されたものである、
請求項１ないし１１のいずれか一項に記載の信号伝送方法。
【請求項１３】
信号伝送方法であって、
送信ノードが、送信要求信号を受信ノードに送信することと、
前記送信ノードが、前記受信ノードが前記送信要求信号にしたがって送信した送信許可信号を受信することであって、前記送信許可信号は、Ｎ個（Ｎは正の整数である）の候補ビームのビーム情報を含むことと、
前記送信ノードが、前記Ｎ個の候補ビームのビーム情報にしたがって、チャネルを前記受信ノードに送信することとを含む、前記信号伝送方法。
【請求項１４】
前記送信ノードが、前記Ｎ個の候補ビームのビーム情報にしたがって、チャネルを前記受信ノードに送信することは、
前記送信ノードが、前記送信許可信号を受信した後、前記Ｎ個の候補ビームの１つを使用してチャネルを前記受信ノードに送信することを含み、
または、
前記送信ノードが、前記送信許可信号を受信した後、前記第１ビームを使用してチャネルを前記受信ノードに送信し、第１タイマを開始することと、
前記送信ノードが、前記第１タイマが満了した後、前記Ｎ個の候補ビームの１つを使用してチャネルを前記受信ノードに送信することとを含む、
請求項１３に記載の信号伝送方法。
【請求項１５】
受信ノード機器であって、
送信ノード機器によって送信された送信要求信号を受信し、前記送信要求信号にしたがって、送信許可信号を前記送信ノード機器に送信するように構成される送受信ユニットを備え、前記送信許可信号は、Ｎ個（Ｎは正の整数である）の候補ビームのビーム情報を含む、前記受信ノード機器。
【請求項１６】
前記受信ノード機器は、決定ユニットをさらに備え、
前記決定ユニットは、参照信号に対する信号測定から得られた測定結果にしたがって、及び／または、ビームに対するキャリアセンシングから得られたセンシング結果にしたがって、前記Ｎ個の候補ビームのビーム情報を決定するように構成される、
請求項１５に記載の受信ノード機器。
【請求項１７】
前記決定ユニットは、具体的に、
前記送信ノード機器によって送信された複数の参照信号に対して信号測定を実行し、前記複数の参照信号の測定結果にしたがって、最適な測定結果を有するＮ個の参照信号を前記複数の参照信号から選択し、
前記Ｎ個の参照信号の送信ビームを前記Ｎ個の候補ビームとして使用するように構成され、
または、
複数のビームでキャリアセンシングを実行し、
チャネルがアイドル状態であるとセンシングされたビームの中から、Ｎ個のビームを選択して前記少なくとも１つの候補ビームとして使用するように構成され、
または、
前記送信ノード機器によって送信された複数の参照信号に対して信号測定を実行して、最適な測定結果を有するＭ個（Ｍは、Ｎより大きいか等しい正の整数である）の参照信号を取得し、
前記Ｍ個の参照信号の送信ビームで、キャリアセンシングを実行し、
チャネルがアイドル状態であるとセンシングされたビームの中から、Ｎ個のビームを選択して前記Ｎ個の候補ビームとして使用するように構成され、
または、
複数のビームでキャリアセンシングを実行して、チャネルがアイドル状態であるとセンシングされたＭ個（Ｍは、Ｎより大きいか等しい正の整数である）のビームを取得し、
前記Ｍ個のビームで送信された参照信号に対して、信号測定を実行し、
最適な測定結果を有するＮ個の参照信号の送信ビームを前記Ｎ個の候補ビームとして使用するように構成される、
請求項１６に記載の受信ノード機器。
【請求項１８】
送信ノード機器であって、
送信要求信号を受信ノード機器に送信するように構成される送受信ユニットを備え、
前記送受信ユニットは、さらに、前記受信ノード機器が前記送信要求信号にしたがって送信した送信許可信号を受信するように構成され、前記送信許可信号は、Ｎ個（Ｎは正の整数である）の候補ビームのビーム情報を含み、
前記送受信ユニットは、さらに、前記Ｎ個の候補ビームのビーム情報にしたがって、チャネルを前記受信ノード機器に送信するように構成される、前記送信ノード機器。
【請求項１９】
前記送受信ユニットは、具体的に、
前記送信許可信号を受信した後、前記Ｎ個の候補ビームの１つを使用してチャネルを前記受信ノード機器に送信するように構成され、
または、
前記送信許可信号を受信した後、前記第１ビームを使用してチャネルを前記受信ノード機器に送信し、第１タイマを開始し、
前記第１タイマが満了した後、前記Ｎ個の候補ビームの１つを使用してチャネルを前記受信ノード機器に送信するように構成され、
または、
前記第１ビームを使用してチャネルを前記受信ノード機器に送信した後、前記受信ノード機器に指示情報を送信するように構成され、前記指示情報は、後続の伝送チャネルで使用されるビームを指示する、
請求項１８に記載の送信ノード機器。
【請求項２０】
前記指示情報は、制御情報またはメディアアクセス制御（ＭＡＣ）層シグナリングで運ばれる、
請求項１９に記載の送信ノード機器。
【国際調査報告】
2021517759.tif 000009
2021517759.tif 000010
2021517759.tif 000011
2021517759.tif 000012